【手続補正書】
【提出日】平成15年10月10日(2003.10.10)
【手続補正１】
【補正対象書類名】明細書
【補正対象項目名】特許請求の範囲
【補正方法】変更
【補正の内容】
【特許請求の範囲】
【請求項１】
上部の開口部にリムを有する所定の容器（２、２’、２’’、１１、７１、８１、９２、９４）用の支持具であって、
当該支持具は、当該容器のリムと嵌合するように構成された蓋または支持リング（４、４’、４’’、７０、８０、９０）を備え、当該蓋または支持リングは、平行な境界面の間に横たわって位置し、
当該蓋または支持リングのリム近くには、可撓性サスペンダ（ＦＳ、ＦＳ1、ＦＳ2、ＦＳ3、ＦＳ4）が接合されており、当該サスペンダの本体は、実質的に一定の厚みを有するシート状のものであり、形成時の当該サスペンダは、当該境界面と平行かつこれに沿ってまたは当該境界面の間でリムの内側に横たわって位置し、当該サスペンダは、形成時の位置から直立した位置へ屈折可能で、当該直立した位置にて当該容器の重量を担持することができる、支持具。
【請求項２】
形成時の前記サスペンダが、前記容器の上部全体にわたって平らに延在する、請求項１に記載の支持具。
【請求項３】
前記蓋または支持リング（４、４’、４’’、７０、８０、９０）と前記サスペンダ（ＦＳ、ＦＳ1、ＦＳ2、ＦＳ3、ＦＳ4）とが、合成樹脂、好ましくは弾性合成樹脂から一体的に形成される、請求項１または請求項２に記載の支持具。
【請求項４】
前記蓋または支持リングおよび前記サスペンダが、一つの成形体を備える、請求項１ないし請求項３のいずれか一項に記載の支持具。
【請求項５】
前記吊下げ部材が、前記サスペンダの本体よりも広い幅を有する可撓性ルート（Ｒ）を備える、請求項１ないし請求項４のいずれか一項に記載の支持具。
【請求項６】
前記サスペンダが、前記容器の重心を通る中心軸から実質的にずれた位置において、前記蓋または支持リングに接合されており、当該ずれは、前記容器を前記サスペンダで支えると、前記容器が実質的に傾くのに十分なものである、容器と組み合わされた請求項１ないし請求項５のいずれか一項に記載の支持具。
【請求項７】
前記サスペンダが、自由端を有するフィンガーサスペンダの形状を有し、当該自由端を有するフィンガーサスペンダは、長手軸を有するとともに、当該長手軸に沿って、相対的に短い可撓性ルート（Ｒ）領域と実質的に長い本体とを少なくとも備え、容器を支えるための指を受けることができる形をした部分で終端する、請求項１ないし請求項６のいずれか一項に記載の支持具。
【請求項８】
前記本体とは脚部分Ｌ（図１）のことであり、当該脚部分Ｌの横幅は、前記ルート部Ｒおよび前記指をかける形成体Ｆの横幅よりも狭く、前記指をかける形成体は、前記サスペンダの末端部において指を受けることができる大きさの開口部を備える、請求項７に記載の支持具。
【請求項９】
前記サスペンダが、指をかける形成体（Ｆ1、Ｆ2）を少なくとも二つ構成し、第一の形成体は、第二の形成体よりも前記サスペンダの基部ルートに近接して配される、請求項１ないし請求項８のいずれか一項に記載の支持具。
【請求項１０】
前記サスペンダを一つ備える、請求項１ないし請求項９のいずれか一項に記載の支持具。
【請求項１１】
可撓性フィンガーサスペンダを二つ備え、これらを係合させて指で同時に支えることができるように、当該可撓性フィンガーサスペンダの端部は可動範囲を有する、請求項１ないし請求項９のいずれか一項に記載の支持具。
【請求項１２】
形成時の前記可撓性フィンガーサスペンダが平面内に枝分かれ状態で横たわって位置し、前記フィンガーサスペンダＦ3は、それぞれ曲線を描き、前記サスペンダの指をかける形成体は、第一径ｄ1上で位置合わせされ、また、前記サスペンダのルート基部は、当該第一径ｄ1と実質的な角度を形成する第二径ｄ2上に位置する、請求項１１に記載の支持具。
【請求項１３】
前記サスペンダが自由端を有するとともに、ルート領域（Ｒ）と指をかける領域（Ｆ）とを含んだ前記サスペンダの長さが、少なくとも２インチである、請求項１ないし請求項１２のいずれか一項に記載の支持具。
【請求項１４】
前記サスペンダが自由端を有するとともに、前記サスペンダの長さが、前記容器の開口部の最小横断面の少なくとも半分、好ましくは、前記容器のリムの半径以上または外径の１／２以上であり、多くの好適実施形態では外径の約３／４以上の長さである、請求項１ないし請求項１３のいずれか一項に記載の支持具。
【請求項１５】
サスペンダの指をかける部分（Ｆ1）が、前記サスペンダの基部ルートに近接して横たわって位置する、請求項１ないし請求項１４のいずれか一項に記載の支持具。
【請求項１６】
前記蓋または支持リングが、前記容器にスナップ嵌めされるように構成されている、請求項１ないし請求項１５のいずれか一項に記載の支持具。
【請求項１７】
前記蓋または支持具が、前記容器の口部分において、外部ビードにスナップ嵌めされるように構成されている、請求項１６に記載の支持具。
【請求項１８】
前記蓋または支持リングがカバーにスナップ嵌めされるように構成され、当該カバーが前記容器にスナップ嵌めされる、請求項１ないし請求項１５のいずれか一項に記載の支持具。
【請求項１９】
前記蓋または支持リングが、前記容器のリムに摩擦嵌めされるように構成されている、請求項１ないし請求項１５のいずれか一項に記載の支持具。
【請求項２０】
前記支持具は、同様の構造を有する別の支持具と互いに嵌合するようになされており、各サスペンダは自由端と、開口部を構成するヘッドと、を有し、一方のサスペンダのヘッドは、他方のサスペンダの開口部に通すことができるように構成されているため、前記支持具を担持する容器を同時に吊り下げることができる、請求項１ないし請求項１９のいずれか一項に記載の支持具。
【請求項２１】
前記蓋または支持リングの中心領域には、前記容器の内容物を見るための開口部があり、好ましくは、前記サスペンダの下方に透明のプラスチックフィルムまたはシートが存在する、請求項１ないし請求項２０のいずれか一項に記載の支持具。
【請求項２２】
前記蓋または支持リングが、予め形成されたクロージャ部材インサート（図８および図９のＣ1、Ｃ2）を備え、例えば、当該クロージャ部材インサート（Ｃ1、Ｃ2）の直径は前記容器の開口部の直径よりも大きく、前記クロージャ部材インサート（Ｃ1、Ｃ2）は、前記容器の口部分に押し当てられて配されシールを形成する、請求項１ないし請求項２１のいずれか一項に記載の支持具。
【請求項２３】
請求項１ないし請求項２２のいすれか一項に記載の支持具の組合せであって、
容器の開口部における最小水平寸法が５センチ（２インチ）以上であり、
前記可撓性サスペンダが、当該蓋または支持リングから延在するとともに、製品陳列用の竿またはフックなどの支持部材に引っ掛けられるようになされており、好ましくは当該サスペンダの長さが約２インチ以上であり、これによって、当該サスペンダを当該支持部材に引っ掛けると、前記容器が傾斜する、支持具の組合せ。
【請求項２４】
請求項１ないし請求項２３のいすれか一項に記載の支持具またはこれらの組合せであって、
容器の開口部における最小水平寸法が５センチ（２インチ）以上であり、
前記サスペンダが、指をかけて前記容器を吊り下げることによって陳列および持ち運びができるように構成かつ配置されている、支持具またはこれらの組合せ。
【請求項２５】
乾燥スープ、シリアル、香辛料、穀物、マメ類、ドライフルーツ、クッキー、クラッカー、コーヒー豆または粉末コーヒー、ナッツ類、スナック菓子、ポップコーン、飴、ヨーグルト、アイスクリーム、バター、冷凍濃縮ジュース、チーズディップおよび薬味、スープ、および飲料などの食品からなる消耗内容物を内包する容器と組み合わせられた、請求項１ないし請求項２４のいずれか一項に記載の支持具またはこれらの組み合わせ。
【請求項２６】
前記容器にはテニスボールが収容される、請求項１ないし請求項２５のいずれか一項に記載の支持具またはこれらの組み合わせ。
【請求項２７】
中心軸と、外側に指向した表面を有するリムによって囲まれた口部分とを有する容器を提供する工程と、
当該容器にこれと対になる蓋または支持リングを提供する工程であって、当該蓋または支持リングは、当該容器のリムを覆って延在しかつ当該外側に指向した表面と係合するように構成された周縁領域を有し、当該周縁領域内でかつ当該容器の中心軸から実質的にずれた位置にて、長手方向に沿って可撓性を有するサスペンダが接合されている、工程と、
当該蓋または支持リングとこれに結合した容器とを当該サスペンダによって吊り下げ、これによって、当該サスペンダが撓み、当該容器は、軸が垂直線に対して実質的な角度Ｅで傾斜した状態でぶら下がる工程と、
を備える、容器を支持する方法。
【請求項２８】
前記接合領域は、前記外側表面と係合する前記蓋または支持リングの部分で内向きに存在する箇所である、請求項２７に記載の方法。
【請求項２９】
前記容器が、前記外側に指向した表面の一部として保持構造（例えばビード）を備え、前記蓋または支持リングが、当該保持構造にスナップ嵌めされるように構成された周縁部分を有する、請求項２８に記載の方法。
【請求項３０】
前記接合領域が、前記外側に指向した表面と係合する前記蓋または支持リングの部分の外側に存在する、請求項２７に記載の方法。
【請求項３１】
前記支持具が、前記容器を閉じる略平坦な蓋か、または、挿入部を有する支持リングを備え、当該挿入部は、当該リングと共同して前記容器を閉じる役割をする、請求項２７ないし請求項３０のいずれか一項に記載の方法。
【請求項３２】
前記サスペンダが、前記蓋または支持リングと同様に、成形された形状を有する、請求項２７ないし請求項３１のいずれか一項に記載の方法。
【請求項３３】
前記容器には製品が収容され、前記容器を、前記サスペンダを使用して陳列装置にぶら下げて販売する、請求項１ないし請求項３２のいずれか一項に記載の方法。
【請求項３４】
前記容器には製品が挿入され、購入後、購入者は、前記サスペンダに指を入れて前記容器を支持する、請求項１ないし請求項３３のいずれか一項に記載の方法。
【請求項３５】
前記容器には、乾燥スープ、シリアル、香辛料、穀物、マメ類、ドライフルーツ、クッキー、クラッカー、コーヒー豆または粉末コーヒー、ナッツ類、スナック菓子、ポップコーン、飴、ヨーグルト、アイスクリーム、バター、冷凍濃縮ジュース、チーズディップおよび薬味、スープ、および飲料などの食品からなる消耗内容物が内包される、請求項１ないし請求項３４のいずれか一項に記載の方法。
【請求項３６】
前記容器にはテニスボールが収容される、請求項２７ないし請求項３４のいずれか一項に記載の方法。